(57)【要約】【課題】スパークやショートを生じる恐れがなく、また画像表示品質を低下させることなく、壁電荷の減少を防ぎ安定した書込み放電を発生させることができるプラズマディスプレイ装置の駆動方法を提供する。【解決手段】検出温度が温度しきい値未満の場合には、走査電極のそれぞれに走査パルスを順次印加する書込み期間を有するサブフィールドを配置して１フィールド期間を構成し、検出温度が温度しきい値以上の場合には、奇数番目の走査電極群に属する走査電極のそれぞれに走査パルスを順次印加する奇数書込み期間と偶数番目の走査電極群に属する走査電極のそれぞれに走査パルスを順次印加する偶数書込み期間とを有するサブフィールドを配置して１フィールド期間を構成し、検出温度が温度しきい値以上の場合に走査電極に印加する走査パルスのパルス幅は、検出温度が温度しきい値未満の場合に走査電極に印加する走査パルスのパルス幅よりも長い。【選択図】図８
2008268552.tif 000002
【特許請求の範囲】
【請求項１】
複数の走査電極を有するプラズマディスプレイパネルと、前記プラズマディスプレイパネルを収納した筐体の内部の温度を検出して検出温度を出力する温度検出回路とを備えたプラズマディスプレイ装置の駆動方法であって、
前記検出温度が温度しきい値未満の場合には、前記複数の走査電極のそれぞれに走査パルスを順次印加する書込み期間を有するサブフィールドを複数配置して１フィールド期間を構成し、
前記検出温度が温度しきい値以上の場合には、前記複数の走査電極を奇数番目の走査電極群と偶数番目の走査電極群とに分け、前記奇数番目の走査電極群に属する走査電極のそれぞれに走査パルスを順次印加する奇数書込み期間と前記偶数番目の走査電極群に属する走査電極のそれぞれに走査パルスを順次印加する偶数書込み期間とを有するサブフィールドを複数配置して１フィールド期間を構成し、
かつ所定のサブフィールドにおいて、前記検出温度が温度しきい値以上の場合に前記走査電極に印加する走査パルスのパルス幅は、前記検出温度が温度しきい値未満の場合に前記走査電極に印加する走査パルスのパルス幅よりも長いことを特徴とするプラズマディスプレイ装置の駆動方法。
【請求項２】
前記所定のサブフィールドにおいて、前記検出温度が温度しきい値以上の場合に前記走査電極に印加する走査パルスは次に走査電極に印加する走査パルスと時間的に重なり、前記検出温度が温度しきい値未満の場合に前記走査電極に印加する走査パルスは次に走査電極に印加する走査パルスと時間的に重ならないことを特徴とする請求項１に記載のプラズマディスプレイ装置の駆動方法。
【請求項３】
前記所定のサブフィールドは、１フィールド期間の２番目のサブフィールド以外のサブフィールドであることを特徴とする請求項１に記載のプラズマディスプレイ装置の駆動方法。
【発明の詳細な説明】
【技術分野】
【０００１】
本発明は、プラズマディスプレイ装置の駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板には走査電極と維持電極とからなる表示電極対がガラス製の前面基板上に互いに平行に複数対形成され、背面板にはデータ電極がガラス製の背面基板上に平行に複数形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。
【０００４】
パネルを駆動する方法としては、サブフィールド法、すなわち、１フィールド期間を複数のサブフィールドに分割した上で、発光させるサブフィールドの組み合わせによって階調表示を行う方法が一般に用いられている。各サブフィールドは、初期化期間、書込み期間および維持期間を有する。初期化期間では初期化放電を発生し、続く書込み動作に必要な壁電荷を各電極上に形成する。加えて、放電遅れを小さくし書込み放電を安定して発生させるためのプライミング（放電のための起爆剤＝励起粒子）を発生させるという働きを持つ。書込み期間では、走査電極のそれぞれに走査パルスを順次印加するとともに表示を行うべき放電セルのデータ電極に選択的に書込みパルスを印加して書込み放電を発生させる。そして維持期間では、表示電極対に交互に維持パルスを印加し、放電セルで維持放電を発生させ発光させることにより画像表示を行う。
【０００５】
しかしサブフィールド法を用いてパネルを駆動する場合に、走査電極に走査パルスを印加せずデータ電極に書込みパルスを印加しただけで書込み動作に必要な壁電荷が減少し、正常な書込み放電を発生しないことがあった。この課題を解決する方法として、例えば特許文献１には、走査電極を４つの走査電極群に分けるとともに、各走査電極群に属する走査電極に走査パルスを順次印加する４つの期間に書込み期間を分割し、走査パルスを印加しない走査電極群には、走査パルスを印加する走査電極群よりも高い電圧を印加して壁電荷の減少を防ぐ駆動方法が開示されている。
【特許文献１】特開２００３−４３９８９号公報
【発明の開示】
【発明が解決しようとする課題】
【０００６】
しかしながら、上記の駆動方法によれば、隣り合う走査電極の電圧差が過大となるタイミングが生じ、パネルの電極端子間やプリント基板の配線パターン間でスパークが発生する、またはパネルの走査電極を引き出す電極端子でマイグレーションが発生しショートする等の可能性があった。また、走査電極群のそれぞれに対応した走査電極駆動回路から駆動電圧が供給されるので、走査電極群毎に駆動電圧波形にわずかな差異が生じ、走査電極群の境界に対応する画像表示領域に輪郭が発生して画像表示品質が低下する等の課題があった。
【０００７】
本発明はこれらの課題に鑑みてなされたものであり、スパークやショートを生じる恐れがなく、また画像表示品質を低下させることなく、壁電荷の減少を防ぎ安定した書込み放電を発生させることができるプラズマディスプレイ装置の駆動方法を提供することを目的とする。
【課題を解決するための手段】
【０００８】
本発明は、複数の走査電極を有するパネルと、パネルを収納した筐体の内部の温度を検出して検出温度を出力する温度検出回路とを備えたプラズマディスプレイ装置の駆動方法であって、検出温度が温度しきい値未満の場合には、複数の走査電極のそれぞれに走査パルスを順次印加する書込み期間を有するサブフィールドを複数配置して１フィールド期間を構成し、検出温度が温度しきい値以上の場合には、複数の走査電極を奇数番目の走査電極群と偶数番目の走査電極群とに分け、奇数番目の走査電極群に属する走査電極のそれぞれに走査パルスを順次印加する奇数書込み期間と偶数番目の走査電極群に属する走査電極のそれぞれに走査パルスを順次印加する偶数書込み期間とを有するサブフィールドを複数配置して１フィールド期間を構成し、かつ所定のサブフィールドにおいて、検出温度が温度しきい値以上の場合に走査電極に印加する走査パルスのパルス幅は、検出温度が温度しきい値未満の場合に走査電極に印加する走査パルスのパルス幅よりも長いことを特徴とする。この方法により、スパークやショートを生じる恐れがなく、また画像表示品質を低下させることなく、壁電荷の減少を防ぎ安定した書込み放電を発生させることができるプラズマディスプレイ装置の駆動方法を提供することができる。
【０００９】
また本発明のプラズマディスプレイ装置の駆動方法は、所定のサブフィールドにおいて、検出温度が温度しきい値以上の場合に走査電極に印加する走査パルスは次に走査電極に印加する走査パルスと時間的に重なり、検出温度が温度しきい値未満の場合に走査電極に印加する走査パルスは次に走査電極に印加する走査パルスと時間的に重ならないことが望ましい。
【００１０】
また本発明のプラズマディスプレイ装置の駆動方法の所定のサブフィールドは、１フィールド期間の２番目のサブフィールド以外のサブフィールドであってもよい。
【発明の効果】
【００１１】
本発明によれば、スパークやショートを生じる恐れがなく、また画像表示品質を低下させることなく、壁電荷の減少を防ぎ安定した書込み放電を発生させることができるプラズマディスプレイ装置の駆動方法を提供することが可能となる。
【発明を実施するための最良の形態】
【００１２】
以下、本発明の実施の形態におけるプラズマディスプレイ装置の駆動方法について、図面を用いて説明する。
【００１３】
（実施の形態）
図１は、本発明の実施の形態におけるパネル１０の構造を示す分解斜視図である。ガラス製の前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１４】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１５】
なお、パネル１０の構造は上述したものに限られるわけではなく、例えばストライプ状の隔壁を備えたものであってもよい。
【００１６】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、本実施の形態においては走査電極の数ｎは偶数であるものとして説明するが、本発明はこれに限定されるものではない。
【００１７】
図３は、本発明の実施の形態におけるプラズマディスプレイ装置１００の回路ブロック図である。プラズマディスプレイ装置１００は、パネル１０、画像信号処理回路４１、データ電極駆動回路４２、走査電極駆動回路４３、維持電極駆動回路４４、タイミング発生回路４５、温度検出回路４６および各回路ブロックに必要な電源を供給する電源部（図示せず）を備え、これらが筐体の内部に収納されてなる。
【００１８】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。
【００１９】
温度検出回路４６は、温度を検出するために用いられるサーミスタ、熱電対等の一般に知られた感熱素子を備え、筐体内部の温度を検出し、検出温度として出力する。
【００２０】
タイミング発生回路４５は水平同期信号、垂直同期信号および温度検出回路４６から出力される検出温度にもとづき各回路ブロックの動作を制御する各種のタイミング信号を発生し、それぞれの回路ブロックへ供給する。走査電極駆動回路４３は、書込み期間において走査電極ＳＣ１〜ＳＣｎに印加する各種の電圧および走査パルスを発生するための走査パルス発生部５０を有し、タイミング信号にもとづいて各走査電極ＳＣ１〜ＳＣｎをそれぞれ駆動する。維持電極駆動回路４４はタイミング信号にもとづいて維持電極ＳＵ１〜ＳＵｎを駆動する。
【００２１】
次に、パネル１０を駆動するための駆動電圧波形とその動作について説明する。プラズマディスプレイ装置１００は、サブフィールド法によって階調表示を行い、それぞれのサブフィールドは初期化期間、書込み期間および維持期間を有する。
【００２２】
本実施の形態においては、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つものとする。しかし、本発明はサブフィールド数や各サブフィールドの輝度重みが上記の値に限定されるものではない。
【００２３】
本実施の形態においては、検出温度にもとづき書込み期間における駆動電圧波形を切り替えて各電極を駆動している。検出温度が所定の温度しきい値未満の場合には、走査電極ＳＣ１〜ＳＣｎを２つの走査電極群に分けることなく、走査電極ＳＣ１、ＳＣ２、ＳＣ３、ＳＣ４、・・・、ＳＣｎ−１、ＳＣｎに走査パルスを順次印加して書込み動作を行う。
【００２４】
一方、検出温度が所定の温度しきい値以上の場合には、走査電極ＳＣ１〜ＳＣｎを奇数番目の走査電極群と偶数番目の走査電極群とに分ける。そして、書込み期間を、奇数番目の走査電極群に属する走査電極ＳＣ１、ＳＣ３、・・・、ＳＣｎ−１のそれぞれに走査パルスを順次印加する奇数書込み期間（以下、「奇数期間」と略記する）と、偶数番目の走査電極群に属する走査電極ＳＣ２、ＳＣ４、・・・、ＳＣｎのそれぞれに走査パルスを順次印加する偶数書込み期間（以下、「偶数期間」と略記する）とに分割して書込み動作を行う。
【００２５】
なお、本実施の形態における所定の温度しきい値は、例えば３３℃であるが、この値は使用するパネルの放電特性等により適宜設定することが望ましい。
【００２６】
まず、温度検出回路４６の検出温度が温度しきい値未満の場合の動作について説明する。図４は、本発明の実施の形態における検出温度が温度しきい値未満の場合にパネル１０の各電極に印加する駆動電圧波形を示す図であり、第１ＳＦおよび第２ＳＦにおける駆動電圧波形を示している。
【００２７】
第１ＳＦの初期化期間の前半部では、データ電極Ｄ１〜Ｄｍに書込みパルス電圧Ｖｗを印加し、維持電極ＳＵ１〜ＳＵｎに電圧０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００２８】
初期化期間の後半部では、データ電極Ｄ１〜Ｄｍに電圧０（Ｖ）を印加し、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。
【００２９】
なお、１フィールドを構成するサブフィールドのうち、いくつかのサブフィールドでは初期化期間の前半部を省略してもよく、その場合には、直前のサブフィールドで維持放電を行った放電セルに対して選択的に初期化動作が行われる。図４には、第１ＳＦの初期化期間では前半部および後半部を有する初期化動作、第２ＳＦおよびそれ以降の初期化期間では後半部のみを有する初期化動作を行う駆動電圧波形を示した。
【００３０】
続く書込み期間では、データ電極Ｄ１〜Ｄｍに電圧０（Ｖ）、維持電極ＳＵ１〜ＳＵｎに電圧Ｖｅ２を印加し、走査電極ＳＣ１、ＳＣ２、・・・、ＳＣｎのそれぞれには第２の電圧Ｖｓ２を印加する。
【００３１】
次に、１番目の走査電極ＳＣ１に負の走査パルスを印加するために走査パルス電圧Ｖａｄを印加する。そして、データ電極Ｄ１〜Ｄｍのうち１行目に発光させるべき放電セルのデータ電極Ｄｋ（ｋ＝１〜ｍ）に正の書込みパルス電圧Ｖｗを印加する。すると書込みパルス電圧Ｖｗを印加した放電セルのデータ電極Ｄｋ上と走査電極ＳＣ１上との交差部の電圧差は、外部印加電圧の差（Ｖｗ−Ｖａｄ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３２】
このように、走査パルス電圧Ｖａｄよりも高い第２の電圧Ｖｓ２から走査パルス電圧Ｖａｄに遷移し再び第２の電圧Ｖｓ２に遷移する走査パルスを走査電極ＳＣ１に印加して、１行目に発光させるべき放電セルで書込み放電を起こして各電極上に壁電圧を蓄積する書込み動作が行われる。一方、書込みパルス電圧Ｖｗを印加しなかったデータ電極Ｄ１〜Ｄｍと走査電極ＳＣ１との交差部の電圧は放電開始電圧を超えないので、書込み放電は発生しない。
【００３３】
次に、２番目の走査電極ＳＣ２に走査パルス電圧Ｖａｄを印加するとともに、データ電極Ｄ１〜Ｄｍのうち２行目に発光させるべき放電セルのデータ電極Ｄｋに正の書込みパルス電圧Ｖｗを印加する。するとその放電セルのデータ電極Ｄｋと走査電極ＳＣ２との間および維持電極ＳＵ２と走査電極ＳＣ２との間に書込み放電が起こり、各電極上に壁電圧を蓄積する書込み動作が行われる。
【００３４】
以下、走査電極ＳＣ３、ＳＣ４、・・・、ＳＣｎについても同様に書込み動作を行う。
【００３５】
続く維持期間では、まず走査電極ＳＣ１〜ＳＣｎに正の維持パルス電圧Ｖｍを印加するとともに維持電極ＳＵ１〜ＳＵｎに電圧０（Ｖ）を印加する。すると書込み放電を起こした放電セルでは、走査電極ＳＣｉ上と維持電極ＳＵｉ上との電圧差が維持パルス電圧Ｖｍに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３６】
続いて、走査電極ＳＣ１〜ＳＣｎには電圧０（Ｖ）を、維持電極ＳＵ１〜ＳＵｎには維持パルス電圧Ｖｍをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、表示電極対２４の電極間に電位差を与えることにより、書込み期間において書込み放電を起こした放電セルで維持放電が継続して行われる。
【００３７】
そして、維持期間の最後には電圧Ｖｒに向かって緩やかに上昇する傾斜波形電圧を走査電極ＳＣ１〜ＳＣｎに印加して、データ電極Ｄｋ上の正の壁電圧を残したまま、走査電極ＳＣｉ上および維持電極ＳＵｉ上の壁電圧を消去している。本実施の形態においては、電圧Ｖｒは維持パルス電圧Ｖｍに等しいか、それより高い電圧である。こうして維持期間における維持動作が終了する。
【００３８】
次に、温度検出回路４６の検出温度が温度しきい値以上の場合の動作について説明する。図５は、本発明の実施の形態における検出温度が温度しきい値以上の場合にパネル１０の各電極に印加する駆動電圧波形を示す図であり、第１ＳＦおよび第２ＳＦにおける駆動電圧波形を示している。
【００３９】
初期化期間については、検出温度が温度しきい値未満の場合と同様であるため説明を省略する。
【００４０】
書込み期間では、上述したように、奇数期間と偶数期間との２つに分割して、奇数期間には奇数番目の走査電極ＳＣ１、ＳＣ３、・・・、ＳＣｎ−１に走査パルスを順次印加して書込み動作を行い、偶数期間には偶数番目の走査電極ＳＣ２、ＳＣ４、・・・、ＳＣｎに走査パルスを順次印加して書込み動作を行っている。
【００４１】
奇数期間では、維持電極ＳＵ１〜ＳＵｎに電圧Ｖｅ２を印加し、奇数番目の走査電極ＳＣ１、ＳＣ３、・・・、ＳＣｎ−１のそれぞれには第２の電圧Ｖｓ２を、偶数番目の走査電極ＳＣ２、ＳＣ４、・・・、ＳＣｎのそれぞれには第４の電圧Ｖｓ４を印加する。ここで、第４の電圧Ｖｓ４は第２の電圧Ｖｓ２より高い電圧である。
【００４２】
次に、１番目の走査電極ＳＣ１に負の走査パルスを印加するために走査パルス電圧Ｖａｄを印加する。そして、データ電極Ｄ１〜Ｄｍのうち１行目に発光させるべき放電セルのデータ電極Ｄｋ（ｋ＝１〜ｍ）に正の書込みパルス電圧Ｖｗを印加する。このとき本実施の形態においては、走査電極ＳＣ１に隣接する走査電極、すなわち２番目の走査電極ＳＣ２に第４の電圧Ｖｓ４より低い第３の電圧Ｖｓ３を印加する。これは隣接する走査電極ＳＣ１と走査電極ＳＣ２との間に過大な電圧差が印加されるのを防ぐためである。
【００４３】
すると書込みパルス電圧Ｖｗを印加した放電セルのデータ電極Ｄｋ上と走査電極ＳＣ１上との交差部の電圧差は、外部印加電圧の差（Ｖｗ−Ｖａｄ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４４】
このように、奇数番目の走査電極群に属する走査電極ＳＣ１には、走査パルス電圧Ｖａｄよりも高い第２の電圧Ｖｓ２から走査パルス電圧Ｖａｄに遷移し再び第２の電圧Ｖｓ２に遷移する走査パルスを印加する。偶数番目の走査電極群に属する走査電極ＳＣ２、ＳＣ４、・・・、ＳＣｎには、走査パルス電圧Ｖａｄより高い第３の電圧Ｖｓ３と、第２の電圧Ｖｓ２および第３の電圧Ｖｓ３より高い第４の電圧Ｖｓ４とのいずれかの電圧を印加する。隣接する走査電極ＳＣ１に走査パルス電圧Ｖａｄが印加されている間は走査電極ＳＣ２には第３の電圧Ｖｓ３を印加する。こうして、１行目に発光させるべき放電セルで書込み放電を起こして各電極上に壁電圧を蓄積する書込み動作が行われる。一方、書込みパルス電圧Ｖｗを印加しなかったデータ電極Ｄ１〜Ｄｍと走査電極ＳＣ１との交差部の電圧は放電開始電圧を超えないので、書込み放電は発生しない。
【００４５】
次に、３番目の走査電極ＳＣ３に走査パルス電圧Ｖａｄを印加するとともに、データ電極Ｄ１〜Ｄｍのうち３行目に発光させるべき放電セルのデータ電極Ｄｋに正の書込みパルス電圧Ｖｗを印加する。このとき走査電極ＳＣ３に隣接する２番目の走査電極ＳＣ２および４番目の走査電極ＳＣ４にも第３の電圧Ｖｓ３を印加する。するとその放電セルのデータ電極Ｄｋと走査電極ＳＣ３との間および維持電極ＳＵ３と走査電極ＳＣ３との間に書込み放電が起こり、各電極上に壁電圧を蓄積する書込み動作が行われる。
【００４６】
以下、奇数番目の走査電極ＳＣ５、ＳＣ７、・・・、ＳＣｎ−１についても同様に書込み動作を行う。そしてこのとき書込み動作を行う奇数番目の走査電極ＳＣｐ＋１（ｐ＝偶数、１＜ｐ＜ｎ）に隣接する偶数番目の走査電極ＳＣｐおよび走査電極ＳＣｐ＋２にも第３の電圧Ｖｓ３を印加する。
【００４７】
続く偶数期間では、奇数番目の走査電極ＳＣ１、ＳＣ３、・・・、ＳＣｎ−１に第２の電圧Ｖｓ２を印加したまま、偶数番目の走査電極ＳＣ２、ＳＣ４、・・・、ＳＣｎにも第２の電圧Ｖｓ２を印加する。
【００４８】
次に、２番目の走査電極ＳＣ２に負の走査パルスを印加するために走査パルス電圧Ｖａｄを印加するとともに、データ電極Ｄ１〜Ｄｍのうち２行目に発光させるべき放電セルのデータ電極Ｄｋに正の書込みパルス電圧Ｖｗを印加する。するとその放電セルのデータ電極Ｄｋと走査電極ＳＣ２との交差部の電圧差は放電開始電圧を超え、２行目に発光させるべき放電セルで書込み放電を起こして各電極上に壁電圧を蓄積する書込み動作が行われる。
【００４９】
次に、４番目の走査電極ＳＣ４に走査パルス電圧Ｖａｄを印加するとともに、４行目に発光させるべき放電セルのデータ電極Ｄｋに正の書込みパルス電圧Ｖｗを印加する。するとその放電セルで書込み放電が起きる。
【００５０】
以下同様に、偶数番目の走査電極ＳＣ６、ＳＣ８、・・・、ＳＣｎについても同様に走査パルス電圧Ｖａｄを印加して書込み動作を行う。
【００５１】
なお、偶数期間において、奇数番目の走査電極ＳＣ１、ＳＣ３、・・・、ＳＣｎ−１のそれぞれには第４の電圧Ｖｓ４を印加し、書込み動作を行う偶数番目の走査電極ＳＣｐに隣接する奇数番目の走査電極ＳＣｐ−１および走査電極ＳＣｐ＋１に第３の電圧Ｖｓ３を印加してもよい。
【００５２】
しかし本実施の形態のように駆動しても、電圧（Ｖｓ２−Ｖａｄ）を超える電圧差を隣接する走査電極間に印加することはないので、絶縁破壊やマイグレーションを発生する恐れがない。また奇数期間において奇数番目の走査電極の書込み動作をすでに終えているため、偶数期間において奇数番目の走査電極の壁電荷がたとえ減少したとしても、画像表示品質を損なう恐れがない。
【００５３】
続く維持期間の動作は、検出温度が温度しきい値未満の場合と同様であるため説明を省略する。
【００５４】
このように本実施の形態においては、検出温度が温度しきい値以上の場合には壁電荷の減少が発生しやすいため、走査パルスを印加しない走査電極群には走査パルスを印加する走査電極群よりも高い電圧を印加して壁電圧の減少を防ぐとともに、走査パルスを印加する走査電極とそれに隣接する走査電極との電圧差を小さくしてスパークやショートを防いでいる。一方、検出温度が温度しきい値未満の場合には壁電荷の減少よりも放電遅れ時間の増加が問題となるため、走査電極に走査パルスを順次印加して、放電遅れ時間が短くなる駆動を行っている。このように走査電極に走査パルスを順次印加すると、直前に書込み放電を行った放電セルからプライミングが供給されるので、放電遅れ時間を短くすることができる。
【００５５】
次に、走査パルス発生部５０の詳細な構成について説明する。なお本実施の形態においては、第２の電圧Ｖｓ２と走査パルス電圧Ｖａｄとの差が、第４の電圧Ｖｓ４と第３の電圧Ｖｓ３との差に等しいとして説明する。この電圧の差を以下、電圧Ｖｓｃｎと記す。すなわち、（Ｖｓ２−Ｖａｄ）＝（Ｖｓ４−Ｖｓ３）＝Ｖｓｃｎである。
【００５６】
図６は、本発明の実施の形態におけるプラズマディスプレイ装置１００の走査パルス発生部５０の構成を示す回路図である。図６にはパネル１０および維持電極駆動回路４４も示している。走査パルス発生部５０は、奇数番目の走査電極ＳＣ１、ＳＣ３、・・・、ＳＣｎ−１に印加する駆動電圧波形を出力する奇数パルス発生部５３と、偶数番目の走査電極ＳＣ２、ＳＣ４、・・・、ＳＣｎに印加する駆動電圧を出力する偶数パルス発生部５６とを備えている。なお、初期化期間および維持期間における駆動電圧波形を発生する回路は省略した。
【００５７】
奇数パルス発生部５３は、電圧Ｖｓｃｎのフローティング電源ＶＳＣＮ１と、フローティング電源ＶＳＣＮ１の低電圧側を走査パルス電圧Ｖａｄまたは第３の電圧Ｖｓ３に接続するスイッチ５４と、フローティング電源ＶＳＣＮ１の低電圧側の電圧または高圧側の電圧を奇数番目の走査電極ＳＣ１、ＳＣ３、・・・、ＳＣｎ−１のそれぞれに印加する出力部６０（１）、６０（３）、・・・、６０（ｎ−１）を備えている。出力部６０（１）は、フローティング電源ＶＳＣＮ１の高圧側の電圧を出力するスイッチング素子６１（１）と、フローティング電源ＶＳＣＮ１の低圧側の電圧を出力するスイッチング素子６２（１）とを有する。出力部６０（３）も同様にスイッチング素子６１（３）とスイッチング素子６２（３）とを有する。出力部６０（５）、６０（７）、・・・、６０（ｎ−１）についても同様である。
【００５８】
偶数パルス発生部５６は、電圧Ｖｓｃｎのフローティング電源ＶＳＣＮ２と、フローティング電源ＶＳＣＮ２の低電圧側を走査パルス電圧Ｖａｄまたは第３の電圧Ｖｓ３に接続するスイッチ５７と、フローティング電源ＶＳＣＮ２の低電圧側の電圧または高圧側の電圧を偶数番目の走査電極ＳＣ２、ＳＣ４、・・・、ＳＣｎのそれぞれに印加する出力部６０（２）、６０（４）、・・・、６０（ｎ）を備えている。出力部６０（２）は、フローティング電源ＶＳＣＮ２の高圧側の電圧を出力するスイッチング素子６１（２）と、フローティング電源ＶＳＣＮ２の低圧側の電圧を出力するスイッチング素子６２（２）とを有する。出力部６０（４）、６０（６）、・・・、６０（ｎ）についても同様である。
【００５９】
なお、フローティング電源ＶＳＣＮ１、フローティング電源ＶＳＣＮ２は、例えばＤＣ−ＤＣコンバータ等を用いて構成してもよいが、ダイオードとコンデンサを有するブートストラップ回路を用いて簡単に構成することができる。本実施の形態においては、フローティング電源ＶＳＣＮ１およびフローティング電源ＶＳＣＮ２の電圧はともに電圧Ｖｓｃｎであるので、第２の電圧Ｖｓ２は、Ｖｓ２＝（Ｖａｄ＋Ｖｓｃｎ）であり、第４の電圧Ｖｓ４は、Ｖｓ４＝（Ｖｓ３＋Ｖｓｃｎ）である。また、走査パルス電圧Ｖａｄ＝−１４０（Ｖ）、電圧Ｖｓｃｎ＝１５０（Ｖ）、第３の電圧Ｖｓ３＝０（Ｖ）である。しかしこれらの電圧は一例であり、パネルの特性等に合わせて最適な値に設定することが望ましい。
【００６０】
次に書込み期間における走査パルス発生部５０の動作の詳細について説明する。まず、検出温度が温度しきい値未満の場合の動作について説明する。図７は、本発明の実施の形態の書込み期間において、検出温度が温度しきい値未満の場合に、走査電極ＳＣ１〜ＳＣｎに印加する駆動電圧波形を示す図である。
【００６１】
まず書込み期間の初めの時刻ｔ０に、奇数パルス発生部５３のスイッチ５４を走査パルス電圧Ｖａｄに接続し、出力部６０（１）、６０（３）、・・・、６０（ｎ−１）のスイッチング素子６１（１）、６１（３）、・・・、６１（ｎ−１）をオン、スイッチング素子６２（１）、６２（３）、・・・、６２（ｎ−１）をオフにして、奇数番目の走査電極ＳＣ１、ＳＣ３、・・・、ＳＣｎ−１に第２の電圧（Ｖａｄ＋Ｖｓｃｎ）を印加する。同様に偶数パルス発生部５６のスイッチ５７を走査パルス電圧Ｖａｄに接続し、出力部６０（２）、６０（４）、６０（６）、・・・、６０（ｎ）のスイッチング素子６１（２）、６１（４）、・・・、６１（ｎ）をオン、スイッチング素子６２（２）、６２（４）、・・・、６２（ｎ）をオフにして、偶数番目の走査電極ＳＣ２、ＳＣ４、・・・、ＳＣｎにも第２の電圧（Ｖａｄ＋Ｖｓｃｎ）を印加する。
【００６２】
時刻ｔ１に、出力部６０（１）のスイッチング素子６１（１）をオフ、スイッチング素子６２（１）をオンにして走査電極ＳＣ１に走査パルス電圧Ｖａｄを印加する。そして時間Ｔｗ１の後の時刻ｔ２に、出力部６０（１）のスイッチング素子６１（１）をオン、スイッチング素子６２（１）をオフに戻す。こうして走査電極ＳＣ１にパルス幅Ｔｗ１の走査パルスを印加する。
【００６３】
時間ΔＴ１の後の時刻ｔ３に、出力部６０（２）のスイッチング素子６１（２）をオフ、スイッチング素子６２（２）をオンにして走査電極ＳＣ２に走査パルス電圧Ｖａｄを印加する。そして時間Ｔｗ１の後の時刻ｔ４に、出力部６０（２）のスイッチング素子６１（２）をオン、スイッチング素子６２（２）をオフに戻す。こうして走査電極ＳＣ２にパルス幅Ｔｗ１の走査パルスを印加する。また本実施の形態においては、走査電極ＳＣ１に印加する走査パルスと次の走査電極ＳＣ２に印加する走査パルスとが時間的に重ならないように、時間ΔＴ１の間隔を開けている。
【００６４】
以下同様に駆動して、走査電極ＳＣ３、ＳＣ４、ＳＣ５、・・・、ＳＣｎにパルス幅Ｔｗ１の走査パルスを順次印加して書込み動作を行う。
【００６５】
次に、検出温度が温度しきい値以上の場合の動作について説明する。図８は、本発明の実施の形態の書込み期間において、検出温度が温度しきい値以上の場合に、走査電極ＳＣ１〜ＳＣｎに印加する駆動電圧波形を示す図である。
【００６６】
まず奇数期間の初めの時刻ｔ１０に、奇数パルス発生部５３のスイッチ５４を走査パルス電圧Ｖａｄに接続し、出力部６０（１）、６０（３）、・・・、６０（ｎ−１）のスイッチング素子６１（１）、６１（３）、・・・、６１（ｎ−１）をオン、スイッチング素子６２（１）、６２（３）、・・・、６２（ｎ−１）をオフにして、奇数番目の走査電極ＳＣ１、ＳＣ３、・・・、ＳＣｎ−１に第２の電圧（Ｖａｄ＋Ｖｓｃｎ）を印加する。また偶数パルス発生部５６のスイッチ５７を第３の電圧Ｖｓ３に接続し、出力部６０（２）、６０（４）、６０（６）、・・・、６０（ｎ）のスイッチング素子６１（２）、６１（４）、・・・、６１（ｎ）をオン、スイッチング素子６２（２）、６２（４）、・・・、６２（ｎ）をオフにして、偶数番目の走査電極ＳＣ２、ＳＣ４、・・・、ＳＣｎに第４の電圧（Ｖｓ３＋Ｖｓｃｎ）を印加する。
【００６７】
時刻ｔ１１に、出力部６０（１）のスイッチング素子６１（１）をオフ、スイッチング素子６２（１）をオンにして走査電極ＳＣ１に走査パルス電圧Ｖａｄを印加する。さらに、出力部６０（２）のスイッチング素子６１（２）をオフ、スイッチング素子６２（２）をオンにして、走査電極ＳＣ２に第３の電圧Ｖｓ３を印加する。このように駆動することにより、走査電極ＳＣ１に走査パルス電圧Ｖａｄを印加するとともに、走査電極ＳＣ１に隣接する走査電極ＳＣ２と走査電極ＳＣ１との電圧差を低い値（Ｖｓ３−Ｖａｄ）に保つことができる。
【００６８】
次の時刻ｔ１２に、出力部６０（３）のスイッチング素子６１（３）をオフ、スイッチング素子６２（３）をオンにして走査電極ＳＣ３に走査パルス電圧Ｖａｄを印加する。さらに、出力部６０（４）のスイッチング素子６１（４）をオフ、スイッチング素子６２（４）をオンにして、走査電極ＳＣ４に第３の電圧Ｖｓ３を印加する。このように駆動して、走査電極ＳＣ３に走査パルス電圧Ｖａｄを印加するとともに、走査電極ＳＣ３に隣接する走査電極ＳＣ２および走査電極ＳＣ４と走査電極ＳＣ３との電圧差を低く保っている。
【００６９】
そして時間ΔＴ２の後の時刻ｔ１３に、出力部６０（１）のスイッチング素子６１（１）をオン、スイッチング素子６２（１）をオフに戻す。このようにして、走査電極ＳＣ１に印加する走査パルスの一部と走査電極ＳＣ３に印加する走査パルスの一部とが時間的に重なるように駆動して、検出温度が温度しきい値以上の場合の走査パルスのパルス幅Ｔｗ２を検出温度が温度しきい値未満の場合のパルス幅Ｔｗ１よりも長く設定する。
【００７０】
そして時刻ｔ１４には、図示していないが、出力部６０（５）のスイッチング素子６１（５）をオフ、スイッチング素子６２（５）をオンにして走査電極ＳＣ５に走査パルス電圧Ｖａｄを印加する。さらに、出力部６０（６）のスイッチング素子６１（６）をオフ、スイッチング素子６２（６）をオンにして、走査電極ＳＣ６に第３の電圧Ｖｓ３を印加する。このように駆動して、走査電極ＳＣ５に走査パルス電圧Ｖａｄを印加するとともに、それに隣接する走査電極ＳＣ４および走査電極ＳＣ６との電圧差を低く保つことができる。
【００７１】
そして時間ΔＴ２の後の時刻ｔ１５に、出力部６０（３）のスイッチング素子６１（３）をオン、スイッチング素子６２（３）をオフに戻し、出力部６０（２）のスイッチング素子６１（２）をオン、スイッチング素子６２（２）をオフに戻す。こうして、走査電極ＳＣ３に印加する走査パルスの一部と走査電極ＳＣ５に印加する走査パルスの一部とが時間的に重なるように駆動して、走査パルスのパルス幅を伸ばしている。
【００７２】
以下同様に駆動して、奇数番目の走査電極ＳＣ７、ＳＣ９、・・・、ＳＣｎ−１にパルス幅Ｔｗ２の走査パルスを順次印加する。そして、このとき奇数番目の走査電極ＳＣｐ＋１に隣接する偶数番目の走査電極ＳＣｐおよび走査電極ＳＣｐ＋２に第３の電圧Ｖｓ３を印加する。さらに走査電極ＳＣｐ＋１に印加する走査パルスの一部が他の走査電極ＳＣｐ＋３に印加する走査パルスの一部と時間的に重なるように駆動している。
【００７３】
このように駆動して、走査電極ＳＣｐ＋１に走査パルス電圧Ｖａｄを印加するとともに、走査電極ＳＣｐ＋１に隣接する走査電極ＳＣｐおよび走査電極ＳＣｐ＋２の電圧差を低く保っている。また、走査電極ＳＣｐ＋１と走査電極ＳＣｐ＋３とは隣接していないため、走査パルスの一部を時間的に重ねてもこれらの走査パルスが相互干渉して誤書込みする恐れがなく、走査パルスのパルス幅を伸ばすことができる。そして走査パルスのパルス幅を伸ばすことにより、放電遅れがある程度長くなっても安定した書込みを行うことができる。
【００７４】
続く偶数期間では、時刻ｔ２０に、奇数パルス発生部５３のスイッチ５４を走査パルス電圧Ｖａｄに接続したまま、出力部６０（１）、６０（３）、・・・、６０（ｎ−１）のスイッチング素子６１（１）、６１（３）、・・・、６１（ｎ−１）をオン、スイッチング素子６２（１）、６２（３）、・・・、６２（ｎ−１）をオフにして、奇数番目の走査電極ＳＣ１、ＳＣ３、・・・、ＳＣｎ−１に第２の電圧（Ｖａｄ＋Ｖｓｃｎ）を印加する。そして、偶数パルス発生部５６のスイッチ５７も走査パルス電圧Ｖａｄに接続し、出力部６０（２）、６０（４）、・・・、６０（ｎ）のスイッチング素子６１（２）、６１（４）、・・・、６１（ｎ）をオン、スイッチング素子６２（２）、６２（４）、・・・、６２（ｎ）をオフにして、偶数番目の走査電極ＳＣ２、ＳＣ４、・・・、ＳＣｎに第２の電圧（Ｖａｄ＋Ｖｓｃｎ）を印加する。
【００７５】
時刻ｔ２１に、出力部６０（２）のスイッチング素子６１（２）をオフ、スイッチング素子６２（２）をオンにして走査電極ＳＣ２に走査パルス電圧Ｖａｄを印加する。そして時刻ｔ２２に、出力部６０（４）のスイッチング素子６１（４）をオフ、スイッチング素子６２（４）をオンにして走査電極ＳＣ４に走査パルス電圧Ｖａｄを印加する。そして時間ΔＴ２の後の時刻ｔ２３に、出力部６０（２）のスイッチング素子６１（２）をオン、スイッチング素子６２（２）をオフに戻す。このように駆動して、走査電極ＳＣ２に印加する走査パルスの一部と走査電極ＳＣ４に印加する走査パルスの一部とが時間的に重なるように駆動して、走査パルスのパルス幅Ｔｗ２をパルス幅Ｔｗ１より長く設定している。
【００７６】
以下同様に駆動して、走査電極に印加する走査パルスの一部が他の走査電極に印加する走査パルスの一部と時間的に重なるように、偶数番目の走査電極ＳＣ６、ＳＣ８、・・・、ＳＣｎにパルス幅Ｔｗ２の走査パルスを順次印加する。
【００７７】
なお本実施の形態における駆動条件は、例えば時間Ｔｗ１＝１．２μｓ、時間Ｔｗ２＝１．３μｓである。しかしこれらの値はパネルの放電特性等により適宜設定することが望ましい。
【００７８】
このように本実施の形態においては、検出温度が所定の温度しきい値以上の場合に走査パルスに印加する走査パルスのパルス幅は、検出温度が所定の温度しきい値未満の場合に走査パルスに印加する走査パルスのパルス幅よりも長く設定している。そして走査パルスのパルス幅を伸ばすことにより、放電遅れがある程度長くなっても安定した書込みを行っている。しかしながら、走査パルスの一部を時間的に重ねた場合に走査パルスが相互干渉する可能性があるサブフィールドでは、走査パルスの一部を時間的に重ねることは望ましくない。検討の結果、第２ＳＦがこのようなサブフィールドに該当することが分かったため、本実施の形態においては、第２ＳＦの書込み期間では走査パルスの一部を時間的に重ねることなしに走査電極を駆動している。この場合に走査電極ＳＣ１〜ＳＣｎに印加する駆動電圧波形は、図８で時間ΔＴ２＝０としたときの駆動電圧波形に等しい。
【００７９】
図９は、本発明の実施の形態における前面基板２１の走査電極２２、維持電極２３およびそれらの電極端子の配置を示す模式図である。走査電極２２のそれぞれは、引出し線９２によって、画像表示領域外の右側の周辺部に設けられた走査電極用電極端子９７のそれぞれに接続されている。同様に、維持電極２３のそれぞれは、引出し線９３によって、画像表示領域外の左側の周辺部に設けられた維持電極用電極端子９８のそれぞれに接続されている。この電極端子９７、９８は、パネル１０の各電極に駆動電圧を印加するためのフレキシブル配線基板を接続するために、それぞれ複数本ずつグルーピングされて配置されている。なお、図９には２４本の走査電極２２および維持電極２３と、８本ずつグルーピングされた２４本の走査電極用電極端子９７および維持電極用電極端子９８を示しているが、これらの数値は図面を見やすくするためのものである。本実施の形態においては、例えば走査電極２２および維持電極２３はそれぞれ１０８０本であり、走査電極用電極端子９７は１３４本または１３６本ずつグルーピングされている。
【００８０】
図１０は、本発明の実施の形態における電極端子９７の詳細を示す拡大図であり、前面基板２１の電極端子９７を上面から見た図である。本実施の形態においては走査電極用電極端子９７は、例えばその幅が１５０μｍ、長さが４ｍｍの細長い帯状形状であり、それらが３９０μｍのピッチで配列されている。このように、電極端子９７は、その間隔を十分広く設計する余裕がないため、電極端子間に過大な電圧を印加すると絶縁破壊を発生する恐れがある。あるいは長時間にわたり電極端子間に過大な電圧を印加すると、電極を形成している金属粒子が移動して電極端子間を短絡する、いわゆるマイグレーションを発生する恐れがあった。
【００８１】
しかしながら本実施の形態においては、上述したように走査パルス電圧Ｖａｄを印加する走査電極とそれに隣接する走査電極との電圧の差は電圧（Ｖｓ３−Ｖａｄ）であり、大きな電圧差を隣接する走査電極間に印加することはない。したがって、電極端子９７の間の間隔が狭くても、絶縁破壊やマイグレーションを発生する恐れはなく、またフレキシブル配線基板の配線間および回路基板の配線間でも絶縁破壊やマイグレーションを発生する恐れがない。
【００８２】
また、本実施の形態においては、奇数パルス発生部５３と偶数パルス発生部５６の回路部品および配線の配置の違い等により駆動電圧波形にわずかな差異が生じた場合であっても、奇数番目の走査電極と偶数番目の走査電極とは交互に配列されているため、その境界に輪郭が発生することもない。
【００８３】
また本実施の形態においては、検出温度が温度しきい値以上の場合に、走査電極に印加する走査パルスの一部が次に走査電極に印加する走査パルスの一部と時間的に重なるように駆動している。これは、時間的に重なる走査パルスを印加する走査電極は隣接しないため、走査パルスの一部を時間的に重ねてもこれらの走査パルスが相互干渉して誤書込みする恐れがなく、このように駆動することより書込み放電を安定して発生させることができる。
【００８４】
なお、本実施の形態においては、奇数期間においてのみ、走査パルスを印加する走査電極群に属する走査電極には、走査パルス電圧よりも高い第２の電圧Ｖｓ２から走査パルス電圧Ｖａｄに遷移し再び第２の電圧Ｖｓ２に遷移する走査パルスを順次印加し、走査パルスを印加しない走査電極群に属する走査電極には、走査パルス電圧Ｖａｄより高い第３の電圧Ｖｓ３と、第２の電圧Ｖｓ２および第３の電圧Ｖｓ３より高い第４の電圧Ｖｓ４とのいずれかの電圧を印加し、少なくとも隣接する走査電極に走査パルス電圧Ｖａｄが印加されている間は第３の電圧Ｖｓ３を印加するものとして説明した。しかし本実施の形態はこれに限定されるものではない。奇数期間および偶数期間の両方において、走査パルスを印加する走査電極群に属する走査電極には、走査パルス電圧よりも高い第２の電圧Ｖｓ２から走査パルス電圧Ｖａｄに遷移し再び第２の電圧Ｖｓ２に遷移する走査パルスを順次印加し、走査パルスを印加しない走査電極群に属する走査電極には、走査パルス電圧Ｖａｄより高い第３の電圧Ｖｓ３と、第２の電圧Ｖｓ２および第３の電圧Ｖｓ３より高い第４の電圧Ｖｓ４とのいずれかの電圧を印加し、少なくとも隣接する走査電極に走査パルス電圧Ｖａｄが印加されている間は第３の電圧Ｖｓ３を印加してもよい。
【００８５】
また本実施の形態においては、走査パルスを印加しない走査電極群に属する走査電極には、隣接する走査電極に走査パルス電圧Ｖａｄが印加されている間のみに第３の電圧Ｖｓ３を印加しそれ以外では第４の電圧Ｖｓ４を印加する例について説明したが、本発明はこれに限定されるものではない。例えば、走査パルスを印加しない走査電極群に属する走査電極には、隣接する走査電極に走査パルス電圧Ｖａｄが印加されている間を含む所定の期間に第３の電圧Ｖｓ３を印加しそれ以外の期間では第４の電圧Ｖｓ４を印加してもよい。
【００８６】
また本実施の形態においては、書込み期間において奇数期間の後に偶数期間を配置したが、偶数期間の後に奇数期間を配置してもよく、また、例えばフィールド毎に奇数期間と偶数期間の配置を入れ替えてもよい。
【００８７】
また、データ電極Ｄｊがパネルの上半分のデータ電極Ｄｊａと下半分のデータ電極Ｄｊｂに分割されたパネルに対しても本発明を適用することができ、この場合にはパネルの上半分と下半分とで同時に書込み動作を行ってもよい。
【００８８】
さらに本発明は、サブフィールド数や各サブフィールドの輝度重み、パルス幅Ｔの時間が特定の値に限定されるものではない。また上述した本実施の形態において用いた具体的な数値等は、単に一例を挙げたに過ぎず、パネルの特性やプラズマディスプレイ装置の仕様等に合わせて、適宜最適な値に設定することが望ましい。
【産業上の利用可能性】
【００８９】
本発明は、スパークやショートを生じる恐れがなく、また画像表示品質を低下させることなく、壁電荷の減少を防ぎ安定した書込み放電を発生させることができるので、プラズマディスプレイ装置の駆動方法として有用である。
【図面の簡単な説明】
【００９０】
【図１】本発明の実施の形態におけるパネルの構造を示す分解斜視図
【図２】本発明の実施の形態におけるパネルの電極配列図
【図３】本発明の実施の形態におけるプラズマディスプレイ装置の回路ブロック図
【図４】本発明の実施の形態における検出温度が温度しきい値未満の場合にパネルの各電極に印加する駆動電圧波形を示す図
【図５】本発明の実施の形態における検出温度が温度しきい値以上の場合にパネルの各電極に印加する駆動電圧波形を示す図
【図６】本発明の実施の形態におけるプラズマディスプレイ装置の走査パルス発生部の構成を示す回路図
【図７】本発明の実施の形態の書込み期間において検出温度が温度しきい値未満の場合に走査電極に印加する駆動電圧波形を示す図
【図８】本発明の実施の形態の書込み期間において検出温度が温度しきい値以上の場合に走査電極に印加する駆動電圧波形を示す図
【図９】本発明の実施の形態における前面基板の走査電極、維持電極およびそれらの電極端子の配置を示す模式図
【図１０】本発明の実施の形態における電極端子の詳細を示す拡大図
【符号の説明】
【００９１】
１０    パネル
２２    走査電極
２３    維持電極
２４    表示電極対
３２    データ電極
４１    画像信号処理回路
４２    データ電極駆動回路
４３    走査電極駆動回路
４４    維持電極駆動回路
４５    タイミング発生回路
５０    走査パルス発生部
５３    奇数パルス発生部
５４，５７    スイッチ
５６    偶数パルス発生部
６０（１）〜６０（ｎ）    出力部
６１（１）〜６１（ｎ），６２（１）〜６２（ｎ）    スイッチング素子
９２，９３    引出し線
９７，９８    電極端子
１００    プラズマディスプレイ装置
【図１】
2008268552.tif 000003
【図２】
2008268552.tif 000004
【図３】
2008268552.tif 000005
【図４】
2008268552.tif 000006
【図５】
2008268552.tif 000007
【図６】
2008268552.tif 000008
【図７】
2008268552.tif 000009
【図８】
2008268552.tif 000010
【図９】
2008268552.tif 000011
【図１０】
2008268552.tif 000012